(57)【特許請求の範囲】
【請求項１】
本体内に設けた放電極と対向電極との間に高電圧発生装置により発生する高電圧を印加して放電を発生させ、この放電によりイオン風を発生させて吸気孔より吸引した外気中の塵埃を帯電させ集塵部にて塵埃を除去した後排気するものにおいて、前記吸気孔より吸引される外気に含まれる塵埃をあらかじめ捕獲するプレフィルタを本体内に配置し、このプレフィルタを配置しない限り前記放電極を本体内の所定の位置に装着できないようにすると共に、前記放電極を前記所定の位置に装着しない限り前記高電圧発生装置が動作しないようにした空気清浄機。
【請求項２】
前記放電極を取付ケースを介して本体に装着し、本体には、前記プレフィルタと係着してプレフィルタを本体内に装着するプレフィルタ固定板を固着し、プレフィルタの前記固定板への係着により、この固定板を前記取付ケースの本体への装着に際し邪魔にならない位置に退避するよう変形させてなる請求項１記載の空気清浄機。
【発明の詳細な説明】
【０００１】
【産業上の利用分野】
本発明は、家庭内等における空気を清浄する空気清浄機に関する。
【０００２】
【従来の技術】
従来空気清浄機は、本体に内蔵したファンを駆動することにより、本体に設けた吸気口より外気を吸引し、内部に設けた集塵部に通して塵埃を除去した後吐出口より室内へ排気する所謂ファン式の空気清浄機の他に、ファンを使用せずに、放電極と対向電極間に高電圧を印加してコロナ放電を発生させ、このコロナ放電によって誘起されるイオン風を利用して、外気を本体内へ吸い込んで空気中の塵埃を帯電させて集塵部にて除去し、その後室内へ排気する所謂イオン風式の空気清浄機が例えば実公平２−４３４９５号公報にて知られている。
【０００３】
この空気清浄機では、本体内へ吸引される外気に混じって綿埃や昆虫等が侵入して、これが放電極となる放電線や対向電極に付着し、その結果、放電効率が低下したり、異常放電が生じる恐れがある等の問題があった。この解決策として、外気を取り入れる吸気孔にプレフィルタを装着してあらかじめ綿埃や昆虫等を除去することが考えられるが、プレフィルタを装着し忘れた場合には、問題が解決されないものであった。
【０００４】
【発明が解決しようとする課題】
本発明は、プレフィルタを本体内へ配置しない限り、放電極と対向電極間に高電圧を印加して放電を発生させることができないようにして、言い換えれば、放電を起こしてイオン風を発生させ吸引される塵埃を帯電して集塵部で除去する時には、必ずプレフィルタであらかじめ綿埃や昆虫等を捕獲して、放電効率が低下したり、異常放電を起こすことのないようにする空気清浄機を提供することを課題とする。
【０００５】
【課題を解決するための手段】
本発明は、本体内に設けた放電極と対向電極との間に高電圧発生装置により発生する高電圧を印加して放電を発生させ、この放電によりイオン風を発生させて吸気孔より吸引した外気中の塵埃を帯電させ集塵部にて塵埃を除去した後排気するものにおいて、吸気孔より吸引される外気に含まれる塵埃をあらかじめ捕獲するプレフィルタを本体内に配置し、このプレフィルタを配置しない限り前記放電極を本体内の所定の位置に装着できないようにすると共に、前記放電極を前記所定の位置に装着しない限り前記高電圧発生装置が動作しないようにしたものである。
【０００６】
より具体的には、放電極を取付ケースを介して本体に装着し、本体には、プレフィルタと係着してプレフィルタを本体内に装着するプレフィルタ固定板を固着し、プレフィルタの前記固定板への係着により、この固定板を前記取付ケースの本体への装着に際し邪魔にならない位置に退避するよう変形させたものである。
【０００７】
かかる構成にすることにより、プレフィルタを本体内へ配置しない限り、放電極を本体内の所定の位置に装着できない上に、高電圧発生装置を動作させることができないので、放電極と対向電極間に高電圧を印加して放電を発生することができない。プレフィルタを本体内へ配置すれば、放電極を本体内の所定の位置に装着できると共に、高電圧発生装置を動作させることができ、放電極と対向電極との間に高電圧を印加して放電を発生させることができ、この時には、プレフィルタにより綿埃や昆虫等が除去され、放電効率の低下や異常放電を防止することができる。
【００１０】
【実施例】
本発明の一実施例を図面に基づき説明する。１は空気清浄機本体ケースで、前ケース２と後ケース３で構成される。前ケース２の上部中央には、化粧ボード４が装着されている。５は本体ケース１内を前後に仕切るように装着された中枠で、この中枠５の中央部には電動機６が装着されている。電動機６の周囲の中枠５には通気孔７が設けられている。本体ケース内の中枠５より後方空間には電動機６により回転されるファン８が設けられている。
【００１１】
中枠５及び後ケース３には、ファン８の周囲を囲む渦巻状のファンケース９の周壁１０が形成されている。ファンケース９の上部は開放されて吐出口となっており、前記後ケース３に設けた格子状の第２排気孔１１に連通している。（第１排気孔は後述する）
本体ケース内の中枠５より前方空間には第２集塵部１２が収納されている（第１集塵部は後述する）。第２集塵部１２は蛇腹状のエレクトレット化された所謂エレクトレットフィルター１３と活生炭よりなる脱臭フィルター１４とからなり、両フィルタ−１３、１４が枠体１５で囲まれて一体化されている。１６は第２集塵部１２が枠体１５内から外れないように押さえる爪である。この第２集塵部１２は前ケース２の側面に形成した取出口１７（図４参照）より取り出せるようになっている。１８は枠体１５に形成した取り出すための把手である。
【００１２】
前記前ケース２の前面は、前カバ−１９で覆われている。空気清浄機の本体外郭は、本体ケ−ス１とこの前カバ−１９で構成される。前カバ−１９には図３に示す如く多数の縦長のスリット状第１吸気孔２０が形成されている。前カバー１９の前ケース２への取付は、前カバー１９の下端に突設した一対の突片２１を、前ケース２の下端に形成した一対の受部２２に係合させ（図１参照）、片や前ケース２上部の左右に形成した一対の係止孔２３（図１４参照）に、前カバ−１９の上部左右に取り付けた一対の爪２４を係合させることにより行われる。
【００１３】
この様子を図２２に基ずき説明する。前カバ−１９の裏側に透孔２５を有するスライド板収納箱２６がネジ２７により取り付けられ、この収納箱２６内にスライド板２８が左右にスライド可能に装着され、このスライド板２８には前記透孔２５より突出した前記爪２４が突設され、スライド板２８はスプリング３０により常時外側へつまり爪２４が係止孔２３と係合する方向に付勢されている。そしてスライド板２８の端に形成した押さえ部２９をスプリング３０に抗して内側へ押さえると、爪２４と係止孔２３との係合が外れ、前カバ−１９を前ケース２より外すことができ、押さえ部２９から手を離すとスプリング３０の力により爪２４と係止孔２３が係合する。このようにして前カバ−１９を前ケース２より容易に着脱することができる。
【００１４】
前カバ−１９と前ケース２には、夫々放電極となる放電線３１と、対向電極３２が設けられ、放電線３１に負の高電圧を加え、一方対向電極３２に正の高電圧を加え（接地してもよい）ることにより、放電線３１と対向電極３２間に放電を発生させ、この放電によりイオン風を誘起させるイオン風発生部が構成されている。
【００１５】
以下イオン風発生部について説明する。放電線３１は図６に示すような合成樹脂製の樋状をした放電線取付ケ−ス３３に取り付けられる。この取付ケ−ス３３は前カバー１９の裏側中央部に後述するように、縦方向に着脱自在に装着される。取付ケ−ス３３の上端には、図７や図９に示すような金属製端子板３４が装着される。この端子板３４は、取付ケ−ス３３に形成した穴３５に図７や図９の矢印方向より圧入することにより、その弾性により取付ケ−ス３３の上端に係着保持される。
【００１６】
一方取付ケ−ス３３の下端には、図８や図１０に示すようなＵ字状の弾性片３６が一体に形成され、この弾性片３６の内側に沿うようにＵ字状の金属製補強板３７が装着される。この補強板３７はその一端３８を取付ケ−ス３３の下端に設けた係止部３９に係着して、この一端３８を支点として図８の矢印方向に回転させることにより、補強板３７に設けた穴４０が弾性片３６に設けた爪４１に係着して、弾性片３６に沿って装着される。この装着状態において、弾性片３６は補強され且つ弾性片３６のバネ性が堅くなるように調整している。
【００１７】
前記端子板３４と補強板３７には夫々鍵状の爪４２、４３が折曲形成され、この爪４２、４３に放電線３１の両端が、スプリング４４を介して係着されている。放電線３１はスプリング４４により適度なテンションが与えられている。ここでスプリング４４が合成樹脂製の取付ケ−ス３３に直接係着されていると、スプリング４４の張力により係着部が永年使用によって変形する恐れがあるが、金属製の端子板３４や補強板３７に係着されているので、永年使用による係着部の変形を防止できる。
【００１８】
次に放電線３１を取り付けた取付ケ−ス３３を本体の一部である前カバー１９に装着する方法を説明する。前カバ−１９の裏面中央部の上下部には、夫々内側に向けて突片４５、４６が形成され、上側突片４５には一つの係合穴４７が、下側突片４６には二つの係合穴４８が形成されている。取付ケ−ス３３の上端には一つの突部４９が突設され、取付ケース下端の弾性片３６の下面には二つの爪５０が形成されている。そして樋状の取付ケース３３の樋の底に相当する面９５を前カバ−１９と対面させるようにして、前記突部４９を図１１のように前記係合穴４７に下から入れ、一方前記弾性片３６を図１２の矢印のように押し込むことにより、前記爪５０が係合穴４８に弾性片３６の弾力でもって係合して、取付ケ−ス３３を前カバ−１９に装着することができる。５１や５２は夫々前記突片４５、４６の両側より一体成形されたガイド片で、前記突部４９を係合穴４７に入れる際及び前記弾性片３６を押し込む際のガイドとなる。
【００１９】
ここで弾性片３６が補強板３７で補強されているので、取付ケ−ス３３を前カバー１９に何度着脱しても弾性片３６の弾性がへたるることなく、前記爪５０を係合穴４８に常に確実に係合させ、取付ケ−ス３３の前カバー１９への装着を確実にできる。
【００２０】
前記取付ケ−ス３３の下端には、放電線３１へ高電圧を供給する後述する高電圧発生装置８０を動作させる回路に介挿された第１安全スイッチ５３を操作する操作片５４が一体に形成されている（図１０、図１３、図１５参照）。この操作片５４でもって、取付ケ−ス３３を前カバー１９へ装着した状態で前カバ−１９を前ケース２に装着した際、第１安全スイッチ５３を閉成して高電圧発生装置８０を作動させ、  前カバ−１９を  前ケース２より外すことによって、第１安全スイッチ５３を開成して高電圧発生装置８０の動作を停止するようにしている。
【００２１】
ところで、前カバー１９の裏面には、スリット状第１吸気孔２０より吸引される空気の埃をあらかじめ除去するプレフィルタ５５が取り付けられるが、このプレフィルタ５５を取り付けないと前記取付ケース３３が前カバー１９に装着できないようになっている。以下この点の構造を説明する。
【００２２】
プレフィルタ５５は図２や図１３に示すように左右二つに分割されており、前カバ−１９と同様に多数の縦長のスリット５６を有する合成樹脂製の枠体５７とこの枠体５７と一体成形される合成樹脂製のネット５８（図１７参照）よりなる。この二つのプレフィルタ５５で前カバ−１９の第１吸気孔２０の全面を覆うようになる。前カバー１９の裏面にはその第１吸気孔２０の外側を囲むように前ケース２側へ向かう壁５９が左右に一体に形成されており、この壁５９には、左右のプレフィルタ枠体５７の夫々の外側に突設した係合片６０を入れる透孔６１が形成されている。（図２参照）
前カバー１９の裏面中央部の上下２ケ所にはプレフィルタ固定板６２がネジ６３にて固定されている。この固定板６２には図２や図１７に示すように一対の固定片６４が突設され、この固定片６４には、左右のプレフィルタ枠体５７の夫々の内側に突設した爪６５を入れる透孔６６が形成されている。この固定板６２は合成樹脂製で、一対の固定片６４は互いに接近したり離れたりする方向に弾性を有している。
【００２３】
そこで、プレフィルタ枠体５７の外側に設けた係合片６０を前記透孔６１に挿入し、内側に突設した前記爪６５を固定片６４の透孔６５に挿入することにより、プレフィルタ５５が前カバ−１９  に装着されるが、この時、図１７のように一対の固定片６４の間  隔が狭くなる。これは、図１９のように爪６５の幅の広くなった根本部分６７で固定片６４を互いの間隔が狭くなるよう押すことにより生ずる。この状態で、取付ケース３３を前カバ−１９に上述したように装着しようとして前カバ−１９に近付けると、図１７のように固定片６４が樋状取付ケース３３の樋内に位置するので、固定片６４に邪魔されることなく近付けることができ、取付ケース３３を前カバ−１９の所定の位置に装着することができる。
【００２４】
ところがプレフィルタ５５を前カバ−１９に装着していない状態では、一対の固定片６４は自らの弾性により図１８のように間隔が広くなる。従ってこの状態で取付ケース３３を前カバ−１９に装着しようとしても、図のように固定片６４の先端に、樋状取付ケース３３の樋の側面に相当する側壁６８が当り、固定片６４が邪魔になって取付ケース３３を前カバ−１９の所定の位置に装着することができない。
【００２５】
このようにプレフィルタ５５を取り付けないと前記取付ケース３３が前カバー１９に装着できないようになっているが、これは取付ケース３３に装着した放電線３１と対向電極３２間に高電圧を印加して放電させる際は、必ずプレフィルタ５５を装着して、前カバ−１９の第１吸気孔２０から吸引される外気に含まれる綿埃や昆虫等をプレフィルタ５５で除去することによって、これらが放電線３１や対向電極３２に付着して放電効率が低下したり、異常放電を生じることのないようにするためである。
【００２６】
以上がイオン風発生部の放電線側について説明したが、これから対向電極側について説明する。前ケース２には、前カバ−１９のスリット２０と対面するように、方形状の金属製対向電極３２が装着されている。この対向電極３２の上端には、図１４のように前ケース２内へ挿入して正の高電圧が印加される接片７０が折曲形成されている。対向電極３２を囲むようリブ７１が前ケース２より突設され、このリブ７１の外側に、図２のように前記前カバ−１９より突設した壁５９が嵌合する。この壁５９には、多数の横長のスリット状第１排気孔７２が形成されている（図２、図４参照）。    また前ケース２のリブ７２の外側には、多数の横長のスリット状第２吸気孔７３が形成されている。
【００２７】
対向電極３２には、電気絶縁性を有する第１集塵部となる集塵紙７４が添着されている。この集塵紙７４はキッチンペーパーに類似したものである。集塵紙７４は対向電極３２から外れないようにその上下において押さえ板７５、７５で押さえられている。押さえ板７５は、図２３に示すごとくその左右両端より突出した軸７６を前記リブ７１に設けた軸受部７７に軸支することにより回動自在になっている。また軸７６に巻装したスプリング７８によって、常時集塵紙７４を対向電極３２に押さえ付ける方向に付勢している。この押さえ板７５を付勢力に抗して回動することにより、対向電極３２より集塵紙７４を外して取り替えることができる。
【００２８】
前ケース２の対向電極３２の上方には、高電圧発生装置８０より負の高電圧が供給される高圧端子８１が設けられている（図１４、図１６参照）。取付ケース３３を装着した前カバ−１９を前ケース２に装着すると、放電線３１の上端を連結した端子板３４が図１や図１６のごとく高圧端子８１に接触して放電線３１に負の高電圧を印加するようになっている。また高電圧発生装置８０よりの正の高電圧は対向電極３２の前記接片７０に供給される。
【００２９】
ところで、負の高圧端子８１と正の高電圧が供給される接片７０とは、図１６のように、前ケース２の裏面に装着した保護カバ−８４によって覆われ、且つこのカバー８４に一体成形された隔壁８５によって両者８１、７０は仕切られている。これは、保護カバー８４で覆われていないと、高圧端子８１と接片７０に埃が付着したり両者間に埃が侵入し、これら付着したり侵入した埃等の影響で、両者８１、７０間で放電を起こす恐れがあるが、カバー８４で覆うことにより埃が付着したり両者間に侵入することのないようにして、このような放電を防止しているのである。仮に多少の埃が付着したり侵入しても、前記隔壁８５により仕切ることによって、両者８１、７０間の沿面距離を長くして、放電が起こりにくいようにしている。
【００３０】
このカバー８４はこのように高圧端子８１と接片７０間の放電を防止する以外に、その上部８６が図１のように内方へ膨出して前記第２集塵部１２の枠体１５と当接することにより、第２集塵部１２を取出口１７より出し入れする際のガイドとしての役目もする。
【００３１】
また前ケース２の下方には、前記第１安全スイッチ５３が設けられ、前述の如く取付ケース３３の下端より突設した前記操作片５４により操作される。また前ケース２の上部には、前カバー１９の裏面上部に突設した操作片８２にて操作される第２安全スイッチ８３が設けられている（図１６参照）。この安全スイッチ８３は前カバ−１９を前ケース２より外した場合、全ての電源を切るためのものである。
【００３２】
図２０は電気回路図を示し、電源プラグ８７から第２安全スイッチ８３及びメインスイッチ８８を介して前記電動機６への通電回路８９と、高電圧発生装置８０への通電回路９０が並列接続され、電動機への通電回路８９にファン運転スイッチ９１が、また高電圧発生装置への通電回路９０には、イオン運転スイッチ９２と前記第１安全スイッチ５３が夫々介挿されている。メインスイッチ８８、ファン運転スイッチ９１及びイオン運転スイッチ９２は、前ケース２上面に設けた操作パネル９３に設けられている。
【００３３】
次に動作を説明する。メインスイッチ８８を入れ、イオン運転スイッチ９２を入れると、高電圧発生装置８０が動作して、放電線３１に負の高電圧例えば、−７ＫＶの電圧を印加し、対向電極３２には正の高電圧例えば＋７ＫＶの電圧を印加する。一方電動機６は通電されず、ファン８は回転しない。
【００３４】
この結果、放電線３１と対向電極３２間にコロナ放電が生じ、イオン風を発生させる。このイオン風により前カバ−１９の第１吸気孔２０より外気が吸引され、吸引された大気中に含まれる塵埃が放電によって生じたガスイオンや電子に接して負に帯電され、電位が高い対向電極３２に向かって移動し、対向電極３２に取付られた集塵紙７４に帯電された塵埃が付着する。そして塵埃が除去された空気は、前記多数の横長のスリット状第１排気孔７２より放出される。図２で矢印Ａはこの時の空気の流れを示す。
【００３５】
ここで、放電線３１、対向電極３２、集塵紙７４、前カバ−１９等で、イオン風により外気を吸引して集塵部にて塵埃を除去した後排気するイオン風式空気浄化手段を構成する。そしてこの場合、通風量がイオン風のみによって誘引されているので少なく、集塵能力は劣るが、ファン８の回転による騒音や送風による寒さを感じることがなく、室内空気を清浄に保つことができる。従って空気の汚れが僅かな時や、気温の低い時等に適した運転となる。
【００３６】
またイオン風式空気浄化手段を動作させている時、放電線３１と対向電極３２間に何も存在しなければ、この両者間に生ずる放電は、放電線３１と対向電極３２間の最短放電距離に集中し、つまり対向電極３２の中央部分に集中し、この結果集塵紙７４の中央部に集中して塵埃が吸着され、対向電極３２や集塵紙７４の中央部分が劣化しやすくなり、また集塵紙全体が有効に活用されず集塵効率も悪いという問題がある。
【００３７】
そこでこの問題を解消するために、放電線３１を取付た樋状取付ケース３３を、その樋の底に相当する面９５が放電線３１と対向電極３２との間の最短放電距離を遮る位置にくるよう前カバ−１９に装着している。つまりこの面９５が放電線３１と対向電極３２間の最短放電距離を遮蔽する遮蔽部となる。そしてこの遮蔽部９５の両側つまり樋の側面に相当する側壁６８を図６のように凸凹状（波状）にしている。
【００３８】
このような構成により、放電の集中しやすい放電距離の短い放電線３１の真後が遮蔽部９５で遮られているので、放電の集中が回避され、放電が均一化される。また、凸凹状の側壁６８により、側壁６８も遮蔽部として作用し、この遮蔽部が、遮蔽を強くする部分（凸部分）と遮蔽を弱めた部分（凹部分）を交互に形成することになり、位置によって放電線３１と対向電極３２との放電に強弱を造り、結果として対向電極３２の全体に拡散して放電が起こるようにして、放電をより均一化させている。
【００３９】
図２１はこの放電の様子を示すもので、分かり易くするために、プレフィルタ５５やプレフィルタ固定板６２を除いている。図で矢印Ａは放電の様子を、矢印Ｂはイオン風により吸引される外気の様子を示す。
【００４０】
この結果、集塵紙７４全体に塵埃が吸着するようになって、集塵紙を有効に活用でき、集塵効率を向上することができ、集塵紙７４の交換回数を少なくできる。さらに、対向電極３２や集塵紙７４の中央部分の集中劣化を軽減できる。
【００４１】
ところで、前カバ−１９の第１吸気孔２０より吸引される空気に綿埃や小さな昆虫が含まれていると、これらが放電線３１や対向電極３２に付着して放電効率が低下したり、異常放電を生じる恐れがあるが、放電線３１を取り付けた取付ケース３３は、前述の如くプレフィルタ５５を前カバー１９に装着しない限り前カバー１９の所定の位置に装着できないようになっているので、放電する際は、必ずプレフィルタ５５が装着されていて、ここで綿誇りや昆虫などがあらかじめ除去され、従って、放電効率が低下したり異常放電を生じる恐れはない。
【００４２】
このことは、イオン風のみにて吸気孔２０より外気を吸引する場合以外に、ファンを回転させてイオン風に加えてファンにより強制的に吸引するようにしたものについても適用できる。さらには、主にファンにより外気を吸引して、イオン風は、吸引した外気を帯電させる作用が主である空気清浄機についても適用できる。
【００４３】
次に操作パネル９３のファン運転スイッチ９１を入れると、高電圧発生装置８０は動作せず、放電線３１や対向電極３２に高電圧が印加されるこはない。一方電動機６は通電され、ファン８が回転する。この結果、イオン風による空気の吸引はなくなり、代わりに図２の矢印Ｂのように、前カバ−１９と前ケース２との間より前記多数の横長スリット状の第２吸気孔７３を通って外気が吸引され、第２集塵部１２を通過してファンケ−シング９内を通って前記第２排気孔１１より室内へ排気される。この過程において、吸引された空気に含まれた塵埃は第２集塵部１２で捕獲されて浄化される。
【００４４】
この場合、第２集塵部１２やファン８や電動機６等でファン式空気浄化手段が構成され、このファン式空気浄化手段を動作させて、ファンにより室内の空気を強制的に循環させ多量の循環風量を得るようにしているので、塵埃を効率よく第２集塵部１２で除去することができる。従って部屋の空気が汚れている場合や、広い部屋の空気を浄化する場合などにこの運転は適している。
【００４５】
またこの場合、第２吸気孔７３を通って多量の空気が前ケース２の裏側に導かれ、そこにある負の高圧端子８１や正の接片７０に埃が付着しようとするが、前述の如くカバー８４でこれらが覆われているので、埃の侵入や付着を阻止している。
【００４６】
このようにイオン運転と、ファン運転とを適宜選択することができ、部屋の汚れの程度や広さや温度などに応じて好みの運転を行うことができる。またイオン運転スイッチ９２とファン運転スイッチ９１を同時に閉成すれば、同時にイオン運転とファン運転とを行うこともできる。
【００４７】
また図２０の回路図から分かるように、前カバ−１９より取付ケース３３を外した状態で前カバ−１９を前ケース２に装着すれば、第１安全スイッチ５３は閉成することができず、高電圧発生装置８０は動作しないが、第２安全スイッチ８３は操作片８２により閉成するので電動機６によりファン８は回転させることができる。つまりイオン風式空気浄化手段を動作させることはできないが、ファン式空気浄化手段を動作させてファン運転を行うことができる。従って、取付ケース３３を装着し忘れたり、あるいは紛失したり、また放電線３１が断線したりして取付ケース３３を装着できない場合にでも、最低限ファン式空気浄化手段を動作させて空気を清浄化することができる。
【００４８】
また集塵紙７４や放電線３１等のメンテナンスは次の様に行う。集塵紙７４の交換に際しては、前カバ−１９を前ケース２から外して行うが、前カバ−１９を外せば一緒に放電線３１もついてくるので、集塵紙７４を交換する際に、放電線３１が邪魔になることはなく、作業がしやすい。一方取り外した放電線３１には、端子板３４と高圧端子８１との接触が離れるので負の高電圧は供給されておらず、放電線に触れても安心であり、また、前カバ−１９を外すことにより、第２安全スイッチ８３や第１安全スイッチ５３が開成して高電圧発生装置８０の動作を停止するので、対向電極３２にも正の高電圧は印加されず集塵紙７４の交換を安全に行うことができる。
【００４９】
また放電線３１や取付ケ−ス３３にも埃が付着し清掃する必要性が生ずるが、取付ケース３３はその弾性片３６を上へ持ち上げて爪５０を係合穴４８から外すことにより、簡単に外せ、また放電線３１はスプリング４４を前記端子板３４と補強板３７の鍵状の爪４２、４３より外すことにより、取付ケース３３から簡単に外せるので、放電線３１や取付ケ−ス３３の清掃も容易に行うことができる。
【００５０】
【発明の効果】
本発明によれば、放電極（実施例では放電線）と対向電極間に高電圧を印加して放電を発生させる際は、プレフィルタを本体内へ配置しない限り、放電極を本体内の所定の位置に装着できず、更に高電圧発生装置が動作しないようにしているので、プレフィルタを装着し忘れた場合は、放電極と対向電極間に高電圧を印加して放電を発生することができない。言い換えれば、放電する際は、必ずプレフィルタが装着されていて、ここで綿誇りや昆虫などがあらかじめ除去して、これらが放電極や対向電極に付着することにより放電効率の低下や異常放電を生ずることのないようにしている。また、プレフィルタや放電極を正規の位置に装着しない限り、高電圧が放電部分に加わることがなく安全である。
【図面の簡単な説明】
【図１】本発明の空気清浄機の全体を示す縦断面図である。
【図２】同空気清浄機の全体を示す横断面図である。
【図３】同空気清浄機の全体を示す正面図である。
【図４】同空気清浄機全体の右側面図である。
【図５】同空気清浄機全体の平面図である。
【図６】同空気清浄機の放電線を装着した取付ケースを示す縦断面図である。
【図７】同空気清浄機の取付ケース上部と端子板の分解縦断面図である。
【図８】同空気清浄機の取付ケース下部と補強板の分解縦断面図である。
【図９】同空気清浄機の取付ケース上部と端子板の分解斜視図である。
【図１０】同空気清浄機の取付ケース下部と補強板の分解斜視図である。
【図１１】同空気清浄機の取付ケース上部の装着時を示す拡大縦断面図である。
【図１２】同空気清浄機の取付ケース下部の装着時を示す拡大縦断面図である。
【図１３】同空気清浄機の前カバ−の裏側でプレフィルタを破線で示す裏面図である。
【図１４】同空気清浄機の前カバ−を外した状態の本体ケースの正面図である。
【図１５】前カバ−を装着した時の図１４のＡ−Ａ線に基ずく断面図である。
【図１６】前カバ−を装着した時の図１４のＢ−Ｂ線に基ずく断面図である。
【図１７】前カバ−に装着するプレフィルタと取付ケースの関係を示す拡大断面図である。
【図１８】同関係のプレフィルタを外した状態を示す拡大断面図である。
【図１９】図１７のＡ−Ａ線に基ずく断面図である。
【図２０】本発明空気清浄機の電気回路図である。
【図２１】同空気清浄機の放電線と対向電極の放電の様子を示す断面図である。
【図２２】図３のＡ−Ａ線に基ずく前カバ−の前ケースへの装着部分を示す断面図である。
【図２３】本発明空気清浄機の集塵紙の装着の様子を示す図１４の円Ｃ内拡大図である。
【符号の説明】
１            本体ケース
１９            前カバ−
３１            放電線（放電極）
３２            対向電極
２０            第１吸気孔（吸気孔）
７４            集塵紙（集塵部）
７２            第１排気孔
５５            プレフィルタ
３３            取付ケ−ス
６２            プレフィルタ固定板
６４            固定片
６５            爪
６６            透孔
８０            高電圧発生装置
５３            安全スイッチ
５４            操作片
【図１】
0003630875.tif 000002
【図２】
0003630875.tif 000003
【図３】
0003630875.tif 000004
【図４】
0003630875.tif 000005
【図５】
0003630875.tif 000006
【図６】
0003630875.tif 000007
【図７】
0003630875.tif 000008
【図８】
0003630875.tif 000009
【図９】
0003630875.tif 000010
【図１０】
0003630875.tif 000011
【図１１】
0003630875.tif 000012
【図１２】
0003630875.tif 000013
【図１３】
0003630875.tif 000014
【図１４】
0003630875.tif 000015
【図１５】
0003630875.tif 000016
【図１６】
0003630875.tif 000017
【図１７】
0003630875.tif 000018
【図１８】
0003630875.tif 000019
【図１９】
0003630875.tif 000020
【図２０】
0003630875.tif 000021
【図２１】
0003630875.tif 000022
【図２２】
0003630875.tif 000023
【図２３】
0003630875.tif 000024